(57)【要約】【課題】簡易な構成で自動車の蓄電池を利便的に充電することができる集合住宅用充電システム及び集合住宅を提供することを目的とする。【解決手段】自動車に搭載された蓄電池への充電を外部からの指示で開始可能な充電装置２２の使用開始及び充電終了を外部へ通知するための操作を行う親機操作部３８を備えると共に、集合住宅の玄関に設けられて充電装置２２と通信可能に接続されたインターホン親機１６と、親機操作部３８の操作結果に基づく充電装置の利用状況を表示する子機表示部５２及び充電装置２２の使用予約を行うための子機操作部５０を備えると共に、集合住宅の各戸に設けられてインターホン親機１６と通信可能に接続されたインターホン子機１８と、を備えることにより、インターホンシステムを利用して充電装置２２による充電を管理する。【選択図】図２
2013085072.tif 000002
【特許請求の範囲】
【請求項１】
自動車に搭載された蓄電池への充電を外部からの指示で開始可能な充電装置の使用開始及び前記充電装置の充電終了を外部へ通知するための操作を行う操作手段を備えると共に、集合住宅の玄関に設けられて前記充電装置と通信可能に接続された親機と、
前記操作手段の操作結果に基づく前記充電装置の利用状況を表示する表示手段及び前記充電装置の使用予約を行うための操作入力手段を備えると共に、集合住宅の各戸に設けられて前記親機と通信可能に接続された子機と、
を備えた集合住宅用充電システム。
【請求項２】
前記子機の前記表示手段は、前記利用状況として駐車場の区画毎の前記充電装置の空き状況を個別に表示する請求項１に記載の集合住宅用充電システム。
【請求項３】
前記親機は、前記子機の前記表示手段と同様の機能を有する親機表示手段を更に備えた請求項１又は請求項２に記載の集合住宅用充電システム。
【請求項４】
前記親機と前記子機はインターホンであり、既設のインターホン設備を兼用する請求項１〜３の何れか１項に記載の集合住宅用充電システム。
【請求項５】
前記親機は、前記充電装置の使用予約を管理する管理手段を更に備えた請求項１〜４の何れか１項に記載の集合住宅用充電システム。
【請求項６】
前記管理手段は、前記子機の前記操作入力手段の操作に基づいて前記使用予約を管理すると共に、前記親機の操作入力手段によって使用開始を通知するための操作が行われた場合に、充電装置による充電を開始するように充電装置を更に管理する請求項５に記載の集合住宅用充電システム。
【請求項７】
前記管理手段は、前記充電装置の充電が終了した場合に、前記子機の前記表示手段に前記利用状況として充電完了を表す表示を行うように更に子機の表示を制御する請求項５又は請求項６に記載の集合住宅用充電システム。
【請求項８】
前記管理手段は、前記子機の表示手段に前記充電完了を表示した後に、前記親機の操作手段によって前記充電終了を通知するための操作が行われたところで前記充電装置の充電に関する処理を完了する請求項７に記載の集合住宅用充電システム。
【請求項９】
前記管理手段は、使用履歴を更に記憶して、前記使用予約を管理する際に、該使用履歴に基づいて前記充電装置の予約の優先度を決定する請求項５に記載の集合住宅用充電システム。
【請求項１０】
自動車に搭載された蓄電池への充電を外部からの指示で開始可能な充電装置と、
請求項１〜９の何れか１項に記載の集合住宅用充電システムと、
を備えた集合住宅。
【発明の詳細な説明】
【技術分野】
【０００１】
本発明は、集合住宅用充電システム及び集合住宅にかかり、特に、ハイブリッド自動車や電気自動車等に搭載された蓄電池を充電可能な集集合住宅用充電システム及びこれを備えた集合住宅に関する。
【背景技術】
【０００２】
特許文献１に記載の技術では、居室親機と、駐車場へと車両を入庫させる又は駐車場から車両を出庫させる際に開閉されるゲートと、駐車場のゲート付近に設置される集合玄関機と、ゲートの開閉を行うためのゲート開閉機と、居室親機、集合玄関機及びゲート開閉機をそれぞれ制御するための制御装置を備えて、駐車場のゲートを開閉するインターホンシステムが提案されている。
【先行技術文献】
【特許文献】
【０００３】
【特許文献１】特開２０１０−１５４０２９号公報
【発明の概要】
【発明が解決しようとする課題】
【０００４】
近年では、環境問題等を考慮して、ハイブリッド自動車や電気自動車等の蓄電池を利用して走行する自動車が注目されており、これに伴って充電装置に関する技術についても注目されている。また、集合住宅においては、複数の住人が存在するので、集合住宅に充電装置を設置した場合の利用方法についても注目されるところである。
【０００５】
しかしながら、特許文献１に記載の技術では、インターホンシステムを利用して、無断駐車を抑制しつつ、来訪者の駐車を容易に行うことができるものの、ハイブリッド自動車や電気自動車などの自動車に搭載された蓄電池の充電までは考慮していないため、改善の余地がある。
【０００６】
本発明は、上記事実を考慮して成されたもので、簡易な構成で自動車の蓄電池を利便的に充電することができる集合住宅用充電システム及び集合住宅を提供することを目的とする。
【課題を解決するための手段】
【０００７】
上記目的を達成するために請求項１に記載の発明は、自動車に搭載された蓄電池への充電を外部からの指示で開始可能な充電装置の使用開始及び前記充電装置の充電終了を外部へ通知するための操作を行う操作手段を備えると共に、集合住宅の玄関に設けられて前記充電装置と通信可能に接続された親機と、前記操作手段の操作結果に基づく前記充電装置の利用状況を表示する表示手段及び前記充電装置の使用予約を行うための操作入力手段を備えると共に、集合住宅の各戸に設けられて前記親機と通信可能に接続された子機と、を備えることを特徴としている。
【０００８】
請求項１に記載の発明によれば、充電装置は、外部から指示で自動車に搭載された蓄電池への充電を開始可能とされている。
【０００９】
また、親機は、当該充電装置の使用開始及び充電装置の充電終了を外部へ通知するための操作を行う操作手段を備えると共に、集合住宅の玄関に設けられて充電装置と通信可能に接続されている。
【００１０】
一方、子機は、操作手段の操作結果に基づく充電装置の利用状況を表示する表示手段及び充電装置の使用予約を行うための操作入力手段を備えていると共に、集合住宅の各戸に設けられて親機と通信可能に接続されている。
【００１１】
すなわち、子機の操作入力手段を操作することで、充電装置の使用予約ができ、親機の操作手段を操作することで充電装置に対して充電開始を通知して充電を開始することができる。
【００１２】
また、親機の操作手段を操作することで充電装置の使用開始及び充電終了を子機に対して通知することができ、これによって、子機の表示手段に操作手段の操作に基づく充電装置の利用状況が表示される。すなわち、子機から充電装置の利用状況を確認して充電予約を行うことができるので利便的な充電が可能となる。従って、簡易な構成で自動車の蓄電池を利便的に充電することができる。
【００１３】
なお、子機の表示手段は、請求項２に記載の発明のように、利用状況として駐車場の区画毎の充電装置の空き状況を個別に表示するようにしてもよい。これによって区画毎の充電装置の利用状況を子機から確認することができる。
【００１４】
また、親機は、請求項３に記載の発明のように、子機の表示手段と同様の機能を有する親機表示手段を更に備えるようにしてもよい。
【００１５】
また、親機及び子機は、請求項４に記載の発明のように、インターホンを適用して、既設のインターホン設備を兼用するようにしてもよい。これによって、安価な構成とすることができる。
【００１６】
また、親機は、請求項５に記載の発明のように、充電装置の使用予約を管理する管理手段を更に備えるようにしてもよい。この場合、管理手段は、請求項６に記載の発明のように、子機の前記操作入力手段の操作に基づいて前記使用予約を管理すると共に、前記親機の操作入力手段によって使用開始を通知するための操作が行われた場合に、充電装置による充電を開始するように充電装置を更に管理するようにしてもよいし、請求項７に記載の発明のように、充電装置の充電が終了した場合に、子機の表示手段に利用状況として充電完了を表す表示を行うように更に子機の表示を制御するようにしてもよい。またこの場合には、管理手段は、請求項８に記載の発明のように、子機の表示手段に充電完了を表示した後に、親機の操作手段によって充電終了を通知するための操作が行われたところで充電装置の充電に関する処理を完了するようにしてもよい。
【００１７】
さらに、管理手段は、請求項９に記載の発明のように、使用履歴を更に記憶して、使用予約を管理する際に、該使用履歴に基づいて充電装置の予約の優先度を決定するようにしてもよい。例えば、使用頻度が多い住人よりも使用頻度が少ない住人を優先するように優先度を決定することにより、集合住宅における充電装置の使用に関する平等性を確保することができる。
【００１８】
なお、本発明は、請求項１０に記載の発明のように、自動車に搭載された蓄電池への充電を外部からの指示で開始可能な充電装置と、請求項１〜９の何れか１項に記載の集合住宅用充電システムと、を備えた集合住宅としてもよい。
【発明の効果】
【００１９】
以上説明したように本発明によれば、簡易な構成で自動車の蓄電池を利便的に充電することができる、という効果がある。
【図面の簡単な説明】
【００２０】
【図１】本発明の実施の形態に係わる集合住宅用充電システムの概略構成を示す図である。
【図２】本発明の実施の形態に係わる集合住宅用充電システムの構成を示すブロック図である。
【図３】本発明の実施の形態に係わる集合住宅用充電システムにおける各戸インターホン子機の子機制御部で行われる処理の流れの一例を示すフローチャートである。
【図４】本発明の実施の形態に係わる集合住宅用充電システムにおけるインターホン親機で行われる処理の流れの一例を示すフローチャートである。
【図５】本発明の実施の形態に係わる集合住宅用充電システムにおける充電装置で行われる処理の流れの一例を示すフローチャートである。
【図６】（Ａ）は駐車場の区画毎の充電装置２２の利用状況を表示した例を示す図であり、（Ｂ）は充電率が４０％の表示例を示す図であり、（Ｃ）は充電終了（充電率１００％）の表示例を示す図である。
【発明を実施するための形態】
【００２１】
以下、図面を参照して本発明の実施の形態の一例を詳細に説明する。図１は、本発明の実施の形態に係わる集合住宅用充電システムの概略構成を示す図である。
【００２２】
集合住宅用充電システム１０は、集合住宅１２に設けられたインターホン親機１６と各戸インターホン子機１８を備えたインターホンシステム１４を備えている。
【００２３】
インターホン親機１６は、複数の住戸を有する集合住宅１２の玄関等に設けられている。各戸インターホン子機１８は、集合住宅１２の各住戸に設けられている。そして、インターホン親機１６と各戸インターホン子機１８とがそれぞれ接続されて通話が可能とされていると共に、インターホン子機１８から集合住宅１２の玄関のロック解除が可能とされている。すなわち、訪問者は、インターホン親機１６から各戸インターホン子機１８を呼び出すことにより、各戸の住人が各戸インターホン子機１８を操作することによって集合住宅１２の玄関のロックを解除することが可能とされている。
【００２４】
また、集合住宅用充電システム１０は、ハイブリッド自動車や電気自動車等の自動車２０に搭載された蓄電池を充電するための充電装置２２を含んで構成されており、例えば、集合住宅１２の敷地内の駐車場等に充電装置２２が設置されている。
【００２５】
充電装置２２は、インターホン親機１６に接続されて、インターホン親機１６からの指示に応じて自動車２０に搭載された蓄電池への充電の開始（充電許可）等の制御が可能とされている。
【００２６】
なお、充電量、充電時間、課金などの充電に関する制御や仕組みは充電装置２２自体のもので運用される。すなわち、本実施の形態の充電装置２２は、外部からの指示（充電許可）に従って充電を開始し、終了を通知する機能を最低限備える構成であればよい。
【００２７】
図２は、本発明の実施の形態に係わる集合住宅用充電システム１０の構成を示すブロック図である。
【００２８】
インターホン親機１６は、図２に示すように、ＣＰＵ２４、ＲＯＭ２６、ＲＡＭ２８、及び入出力ポート３０がそれぞれバス３２を介して接続されたマイクコンピュータを備えている。
【００２９】
また、インターホン親機１６は、メモリ３４、カメラ４４、親機表示部３６、親機操作部３８、音声処理部４０、及びインターホンインターフェース（Ｉ／Ｆ）４２を更に備えており、入出力ポート３０にそれぞれが接続されている。なお、親機表示部３６は省略した構成としてもよいため、図２では点線で示す。
【００３０】
メモリ３４には、インターホンシステム１４を利用して充電装置２２による自動車に搭載された蓄電池への充電を行うためのプログラム等が記憶されている。
【００３１】
カメラ４４は、訪問者を撮影するために設けられており、撮影によって得られる画像情報をインターホンＩ／Ｆ４２を介して各戸インターホン子機１８へ送信する。なお、カメラ４４も親機表示部３６と同様に、省略した構成としてもよいため、図２では点線で示す。
【００３２】
親機操作部３８は、各戸インターホンを読み出すためのテンキーなどの操作ボタンや、充電装置２２の充電開始や終了を指示するための操作ボタン等を有し、操作ボタンの操作に応じて各戸インターホン子機１８の呼び出しや、充電装置２２への充電開始通知（充電許可）や各戸インターホン子機１８への終了通知などが可能とされている。また、本実施の形態では、充電装置２２による蓄電池への充電を行うための識別情報（例えば、部屋番号などの識別情報）などの入力も親機操作部３８の操作によって可能とされている。なお、親機操作部３８は、タッチパネルなどの操作ボタンを適用するようにしてもよいし、タッチパネルと機械的なボタンを共に備えるようにしてもよい。また、充電開始や終了を指示するための操作ボタンは専用のものであってもよいし、テンキーや他の操作ボタン等を割り当てるようにしてもよい。
【００３３】
親機表示部３６は、親機操作部３８によって操作された操作内容（例えば、各部屋番号の表示や識別情報の表示など）の表示が行われる。なお、後述する子機表示部５２と同様に、充電装置２２による充電に関する情報等の表示を行うようにしてもよい。
【００３４】
音声処理部４０は、スピーカやマイクロホン等を含んでおり、各戸インターホン子機１８との通話に関する音声処理を行う。すなわち、インターホン通話が音声処理部４０によって行われる。なお、音声処理部４０は、音声をアナログ信号で各戸インターホン子機１８と通信するようにしてもよいし、デジタル変換して通信するようにしてもよい。
【００３５】
インターホンＩ／Ｆ４２は、各戸インターホン子機１８と接続され、音声通信や情報通信が行われる。インターホンＩ／Ｆ４２と各戸インターホン子機１８との接続は、既存のインターホン設備が適用される。既存のインターホン設備としては、例えば、音声ケーブル、映像ケーブル、情報ケーブル等の既存のインターホン用通信ケーブルなどを適用することができ、当該当該インターホン通信ケーブルでインターホンＩ／Ｆ４２と各戸インターホン子機１８が接続される。
【００３６】
また、集合住宅の玄関入り口に設けられたロック装置４６は、インターホン親機１６の入出力ポート３０に接続されており、インターホン子機１８からの指示によってロック解除可能とされている。すなわち、インターホン親機１６からインターホン子機１８を呼び出して、インターホン子機１８からロック解除指示を行うことでロック装置４６のロックが解除される。
【００３７】
一方、各戸インターホン子機１８は、子機制御部４８、子機表示部５２、子機操作部５０、及び音声通信部５４を備えている。
【００３８】
子機制御部４８は、図２では省略するが、インターホン親機１６と同様に、ＣＰＵ、ＲＯＭ、ＲＡＭ、及び入出力ポートがそれぞれバスを介して接続されたマイクコンピュータを備えている。そして、子機制御部４８の入出力ポートに子機操作部５０、子機表示部５２、及び音声通信部５４がそれぞれ接続されている。
【００３９】
子機操作部５０は、上述したロック装置４６のロック解除指示や、充電装置２２による蓄電池への充電予約などの操作を行うための操作ボタンを備えている。なお、タッチパネルなどの表示ボタンを適用するようにしてもよいし、タッチパネルと機械的なボタンを共に備えるようにしてもよい。また、ロック解錠指示や充電予約を行うため操作ボタンは専用のものであってもよいし、テンキーや他の操作ボタン等を割り当てるようにしてもよい。
【００４０】
子機表示部５２は、インターホン親機１８に設けられたカメラ４４によって撮影された撮影画像の表示（例えば、訪問者の顔などの表示）や、充電装置２２による充電に関する情報等の表示を行う。本実施の形態では、充電装置２２の予約状況の表示や、充電装置２２による充電状況の表示、或いは、充電完了表示などが行われる。
【００４１】
音声通信部５４は、インターホン親機１６の音声処理部４０と同様に、スピーカやマイクロホン等を含んでおり、各戸インターホン親機１６との通話に関する音声処理を行う。すなわち、インターホン通話が音声通信部５４によって行われる。なお、音声通信部５４は、音声をアナログ信号でインターホン親機１６と通信するようにしてもよいし、デジタル変換して通信するようにしてもよい。
【００４２】
また、充電装置２２は、通信部５６及び充電制御部５８を備えており、インターホン親機１６からの指示を通信部５６によって受信し、当該指示に従って充電制御部５８によって充電開始が可能とされている。
【００４３】
また、充電装置２２は、充電完了時には、通信部５６からインターホン親機１６を介して各戸インターホン子機１８へ充電終了を通知するようになっている。
【００４４】
続いて、上述のように構成された本発明の実施の形態に係わる集合住宅用充電システム１０で行われる具体的な処理について説明する。
【００４５】
まず、各戸インターホン子機１８で行われる処理の流れについて説明する。図３は、本発明の実施の形態に係わる集合住宅用充電システム１０における各戸インターホン子機１８の子機制御部４８で行われる処理の流れの一例を示すフローチャートである。なお、図３の処理は、各戸インターホン子機１８の子機操作部５０が操作されて充電予約指示が行われた場合に開始するものとして説明する。
【００４６】
子機操作部５０が操作されて充電予約指示が行われるとステップ１００では、充電予約状況がインターホン親機１６から取得されてステップ１０２へ移行する。
【００４７】
ステップ１０２では、充電予約状況が子機表示部５２に表示されてステップ１０４へ移行する。例えば、図６（Ａ）に示すように、駐車場の区画毎の充電装置２２の利用状況を表示する。これによって、駐車場の区画毎の空き状況を容易に確認することができる。なお、図６（Ａ）では、予約状況（予約数）以外に、使用中や充電終了などの表示も行う例を示すが、この場合には、充電プラグの自動車２０への接続を検知するセンサや、各区画の自動車２０の有無を検出するためのカメラ等を備えてセンサやカメラの検出結果をインターホン親機１６に送信することにより、インターホン親機１６から使用中や充電終了などの情報を取得する必要があるため、使用状況（使用中や充電終了など）は住人が確認するものとして予約状況のみを表示するようにしてもよい。
【００４８】
ステップ１０４では、充電予約が指示されたか否か判定される。該判定は、子機操作部５０が操作されて充電予約が指示されたか否かを判定し、充電予約が指示された場合には、判定が肯定されステップ１０６へ移行し、充電予約以外の操作が行われた場合には判定が否定されて当該処理を終了して、操作に対応する処理を開始する。
【００４９】
ステップ１０６では、充電予約が登録されてステップ１０８へ移行する。充電予約の登録は、インターホン親機１６に対して行われる。これによって、他の各戸インターホン子機１８で充電予約が指示された場合には、更新された充電予約状況がインターホン親機１６から各戸インターホン子機１８へ送信されことになる。なお、インターホン親機１６は、各戸インターホン子機１８からの充電予約が登録されることにより、予約順に従って使用順を決定するなどの処理を行うことにより充電装置２２の予約を管理するが、充電装置２２の使用順序については使用頻度に基づいて優先順位を決定するようにしてもよい。例えば、インターホン親機１６は、充電装置２２の使用履歴を記憶しておき、複数の予約が存在する場合には、使用頻度が各戸で不公平にならないように、使用履歴が少ない家の予約を優先するなどの制御を行うようにしてもよい。
【００５０】
ステップ１０８では、充電可能か否か判定される。該判定は、インターホン親機１６から充電状況を随時取得して、予約した充電順番になったか否かを判定し、該判定が肯定されるまで待機してステップ１１０へ移行する。なお、インターホン親機１６は、充電順番に対応する各戸インターホン子機１８に対して充電順番になったことを表す情報を送信するものとする。
【００５１】
ステップ１１０では、充電可能である旨が通知されてステップ１１２へ移行する。例えば、子機表示部５２に充電順番であることを表すメッセージを表示したり、音声を発生することによって通知する。
【００５２】
ステップ１１２では、充電開始か否か判定される。該判定は、自動車が充電装置２２に接続されて、インターホン親機１６が操作されて充電開始が指示された否かを判定し、該判定が肯定されるまで待機してステップ１１４へ移行する。
【００５３】
ステップ１１４では、充電装置２２による充電状況がインターホン親機１６経由で充電装置２２から取得され、子機表示部５２に表示されてステップ１１６へ移行する。充電状況の表示は、例えば、図６（Ｂ）、（Ｃ）に示すように、充電状況として現在の充電率を表示することにより、現在の充電状況を各戸インターホン子機１８で確認することができる。なお、図６（Ｂ）では、充電率が４０％の表示例を示し、図６（Ｃ）は充電終了（充電率１００％）の表示例を示すが、充電率ではなく、残りの充電時間をインターホン親機１６または各戸インターホン子機１８で算出して表示するようにしてもよい。
【００５４】
ステップ１１６では、充電が終了したか否か判定される。該判定は、充電終了を表す終了情報が充電装置２２からインターホン親機１６経由で受信したか否かを判定し、該判定が否定された場合にはステップ１１４に戻って上述の処理が繰り返され、判定が肯定されたところでステップ１１８へ移行する。
【００５５】
ステップ１１８では、充電終了が通知されて一連の処理を終了する。すなわち、子機表示部５２に充電が終了したことを表すメッセージを表示したり、音声によって通知する。
【００５６】
次に、インターホン親機１６で行われる処理について説明する。図４は、本発明の実施の形態に係わる集合住宅用充電システム１０におけるインターホン親機１６で行われる処理の流れの一例を示すフローチャートである。なお、図４の処理は、インターホン親機１６における親機操作部３８に対して充電開始を表す操作が行われた場合に開始するものとして説明する。
【００５７】
インターホン親機１６における親機操作部３８に対して充電開始を表す操作が行われるとステップ２００では、予め定めた識別情報入力画面が親機表示部３６に表示されてステップ２０２へ移行する。予め定めた識別情報は、充電予約と使用者とが一致するか否かを確認するための識別情報であり、例えば、部屋番号や予め登録した暗証番号等を適用することができ、予め部屋番号や暗証番号をインターホン親機１６に予め登録しておくことにより、充電予約と使用者が一致するか否かを判定できる。なお、親機表示部３６を備えない構成の場合には、音声により、識別情報の入力を促すようにしてもよい。
【００５８】
ステップ２０２では、親機操作部３８が操作されて識別情報が入力されたか否か判定され、該判定が肯定されるまで待機してステップ２０４へ移行する。
【００５９】
ステップ２０４では、識別情報が充電予約と一致するか否か判定される。すなわち、充電予約と使用者が一致するか否か判定され、該判定が否定された場合にはステップ２０６へ移行し、肯定された場合にはステップ２０８へ移行する。なお、該判定は、例えば、充電予約時の部屋番号と、入力された識別情報が充電予約の部屋番号と対応するか否かを判定する。
【００６０】
ステップ２０６では、充電予約と使用者が一致しないので、使用不可である旨が通知されて一例の処理を終了する。通知方法としては、親機表示部３６にメッセージを表示してもよいし、音声通知でもよい。
【００６１】
ステップ２０８では、充電装置２２に対して充電許可が通知されてステップ２１０へ移行する。これによって、後述する充電装置２２による充電が開始可能となる。
【００６２】
ステップ２１０では、充電が終了した否か判定される。該判定は、充電装置２２から充電終了が通知されたか否かを判定し、判定が肯定されるまで待機してステップ２１２へ移行する。
【００６３】
ステップ２１２では、対応する各戸インターホン子機１８に対して充電終了が通知されてステップ２１４へ移行する。これによって、上述したステップ１１６の判定が肯定される。
【００６４】
ステップ２１４では、充電完了操作が親機操作部３８に対して行われたか否か判定される。該判定は、親機操作部３８に対して充電完了を表す操作が行われた否かを判定し、該判定が肯定されるまで待機してステップ２１６へ移行する。すなわち、当該ステップでは、充電終了を各戸インターホン子機１８に対して通知した後に、使用者が充電装置２２による充電場所から自動車を移動、またはプラグを引き抜いてから、親機操作部３８に対して充電完了を表す操作が行われたか否かを判定する。
【００６５】
ステップ２１６では、充電予約状況が更新されて一連の処理を終了する。これによって、各戸インターホン子機１８で充電予約が指示されて上述のステップ１０２で表示される充電予約状況が更新される。
【００６６】
続いて、充電装置２２で行われる処理について説明する。図５は、本発明の実施の形態に係わる集合住宅用充電システム１０における充電装置２２で行われる処理の流れの一例を示すフローチャートである。なお、図５の処理は、上述のステップ２０８でインターホン親機１６から通知される充電許可通知を受信した場合に開始するものとして説明する。
【００６７】
充電許可通知をインターホン親機１６から受信すると、ステップ３００では、充電プラグが接続されているか否か判定される。該判定は、充電プラグの接続を検知するセンサを設けて判定するようにしてもよいし、充電プラグが接続されて所定のスイッチ操作が行われたか否かを判定してもよい。該判定が肯定されるまで待機してステップ３０２へ移行する。なお、判定が否定された場合には、音声等によって充電プラグの接続を促すように通知するようにしてもよい。
【００６８】
ステップ３０２では、充電が開始されてステップ３０４へ移行して、充電処理が実行される。充電処理は、自動車に搭載された蓄電池の残量等に応じた充電を行うように、自動車２０の蓄電池への通電が充電制御部５８によって制御される。
【００６９】
ステップ３０６では、充電が終了したか否か判定され、該判定が否定された場合には、ステップ３０４に戻って充電が終了するまで充電処理が継続され、充電が終了したこところでステップ３０８へ移行する。
【００７０】
ステップ３０８では、充電終了がインターホン親機１６に通知されて一連の処理を終了する。すなわち、充電装置２２から充電終了がインターホン親機１６に通知されることにより、上述のステップ２１０が肯定されて、各戸インターホン子機１８に充電終了が通知されることによって、各戸インターホン子機１８の子機表示部５２で充電終了を確認することができる。
【００７１】
このように本実施の形態では、ＩＤカードなどの持ち物が不要で、集合住宅の各住戸から充電装置２２の使用予約や充電状況の確認ができる利便性を有する。換言すれば、インターホンなどの簡易な装置を利用して、充電装置２２の予約の確認から予約の登録までを容易に行うことができると共に、充電開始の指示から充電終了までを制御することができるので、安価かつ簡易な構成で充電装置２２を集合住宅１２で利便的に使用することができる。
【００７２】
なお、上記の実施の形態では、充電装置２２は、集合住宅１２の敷地内の駐車場に設ける例を説明したが集合住宅１２の敷地内に限るものではなく、例えば、隣接する敷地であってもよい。
【００７３】
また、上記の実施の形態では、使用者が集合住宅１２の住人であることを前提として説明したが、使用者は集合住宅１２の住人でなくてもよい。この場合には、例えば、インターホン親機１６に外来者用ボタン等を設けて、充電装置２２を使用可能としてもよい。このとき、集合住宅１２の住人を優先利用するように制御するようにしてもよい。
【００７４】
また、上記の実施の形態では、単一の集合住宅１２を例として説明したが、これに限るものではなく、複数の集合住宅１２を対象とするようにしてもよい。例えば、複数の集合住宅１２のインターホン親機１６同士をネットワーク接続して、インターホン親機１６同士で通信可能とすることにより、複数の集合住宅１２の充電装置２２を相互利用することが可能となり、ゾーンで合理的な充電が可能となる。
【符号の説明】
【００７５】
１０    集合住宅用充電システム
１２    集合住宅
１４    インターホンシステム
１６    インターホン親機
１８    各戸インターホン子機
２０    自動車
２２    蓄電池
２４    ＣＰＵ
２６    ＲＯＭ
２８    ＲＡＭ
３０    入出力ポート
３２    バス
３６    親機表示部
３８    親機操作部
４８    子機制御部
５０    子機操作部
５２    子機表示部
【図１】
2013085072.tif 000003
【図２】
2013085072.tif 000004
【図３】
2013085072.tif 000005
【図４】
2013085072.tif 000006
【図５】
2013085072.tif 000007
【図６】
2013085072.tif 000008